(57)【特許請求の範囲】
【請求項１】
グルーブ部とランド部が交互にあり、前記グルーブ部またはランド部のいずれか一方を記録トラックとした光記録媒体の記録再生方法において、
レーザ光がパルスで、そのパルス幅を種々のパルス幅に変更しながらテスト用データを前記グルーブ部またはランド部のどちらか一方の記録トラックに記録する工程と、
上記記録したテスト用データがグル−ブ部にある場合は隣りのランド部を、テスト用データがランド部にある場合は隣りのグル−ブ部を再生してテスト用データの再生信号強度を検出し、そのレベルにより上記レーザ光パルス幅の最適値を求める工程と、
上記求めたレーザ光パルス幅により記録を実行する工程とを含む光記録媒体の記録再生方法。
【請求項２】
グルーブ部とランド部が交互にあり、前記グルーブ部又はランド部のいずれか一方を記録トラックとした光記録媒体の記録再生方法において、
レーザ光の光強度を種々の強度に変更しながらテスト用データを前記グルーブ部またはランド部のどちらか一方の記録トラックに記録する工程と、
上記記録したテスト用データがグルーブ部にある場合は隣りのランド部を、テスト用データがランド部にある場合は隣りのグルーブ部を再生し、テスト用データの再生信号強度を検出し、そのレベルにより上記レーザ光強度の最適値を求める工程と、
上記求めたレーザ光強度により光記録を実行する工程とを含む光記録媒体の記録再生方法。
【請求項３】
請求項１または２に記載の光記録媒体の記録再生法において、前記グルーブ部またはランド部のどちらか一方の記録トラックが、他方のランド部又はグルーブ部よりも幅広であることを特徴とする光記録媒体の記録再生方法。
【請求項４】
サンプルサーボによるトラッキングを行うためのウォブルピットがある光磁気記録媒体をレーザ光で加熱しながら、データに応じた極性の記録用磁界を印加することによってデータを記録磁区として記録し、記録磁区を磁気光学効果を利用して再生する光磁気記録再生方法において、
レーザ光がパルスで、そのパルス幅を種々のパルス幅に変更しながらテスト用データを記録する工程と、
上記記録したテスト用データの存在するトラックと、その隣りのトラックとの中間の部分を再生し、テスト用データの再生信号強度を検出し、そのレベルにより上記レーザ光パルス幅の最適値を求める工程と、
上記求めた光パルス幅により光磁気記録を実行する工程とを含むことを特徴とする記録媒体の記録再生方法
【請求項５】
サンプルサーボによるトラッキングを行うためのウォブルピットがある光磁気記録媒体をレーザ光で加熱しながら、データに応じた極性の記録用磁界を印加することによってデータを記録磁区として記録し、記録磁区を磁気光学効果を利用して再生する光磁気記録再生方法において、
レーザ光の光強度を種々の強度に変更しながらテスト用データを記録する工程と、
上記記録したテスト用データの存在するトラックと、その隣りのトラックとの中間の部分を再生し、テスト用データの再生信号強度を検出し、そのレベルにより上記レーザ光の光強度の最適値を求める工程と、
上記求めたレーザ光の光強度により光磁気記録を実行する工程とを含むことを特徴とする記録媒体の記録再生方法。
【発明の詳細な説明】
【０００１】
【発明の属する技術分野】
本発明は情報記録媒体の記録再生方法に関し、より詳細には記録信号ピット幅、磁区幅等の記録素子幅を正確に制御できる情報記録方法に関する。
【０００２】
【従来の技術】
近年、情報化技術の発達及び情報量の増大に伴って、大容量の情報を記録できる光メモリが使用されている。記録した情報を書換え可能な光メモリとして、光磁気記録媒体の開発が盛んに行われている。かかる光磁気記録媒体の情報記録方式として光変調方式と磁界変調方式が知られている。光変調方式では、基板上に形成されてた光磁気膜に、光磁気膜の保磁力よりも弱い直流磁界を与えながら、記録するデータに応じて変調されたレーザビームを照射することによってデータの記録が実行される（例えば、特開昭５２−２３３１８号参照）。この方式では、常に一定方向の磁界を与えながら記録するため、データが記録してある領域に再記録するには、既記録部分を消去した後に新たに記録する必要がある。すなわち、この方式では直接データを重ね書きすることはできなかった。
【０００３】
一方、磁界変調方式では、光磁気膜に、直流レーザ光を照射しながら、コード化データに応じてパルス化された変調磁界を印加することによってデータが記録される（例えば、特開昭５１−１０７１２１号参照）。この方法では、ビットデータの”０”，”１”に応じて記録媒体の磁化の方向を直接反転してデータを記録することができるので、以前に記録したデータが存在する状態で直接データを書き込むオーバーライトが可能となる。しかしながら、直流的にレーザ光を照射させるため、線速度が増加するにつれて記録マークがレーザ光照射方向に長い三日月型になり、信号処理の点で不利である。さらに、磁界切替え時に外部磁界が印加されない領域では磁区が不確定になり、高密度化する際にＳ／Ｎ比の点で問題がある。
【０００４】
磁界変調方式を改良した技術として、特開平１−２９２６０３号は、光磁気記録媒体を記録データに同期した一定周波数のパルスレーザ光で加熱しながら、記録データに対応した極性を有する磁界を与えることによってコードデータを直接重ね書きする記録方式を開示している（以下、光磁界変調方式という）。この技術によると、上記磁気変調方式の欠点を解消して、安定な記録マークが得られることが示されている。
【０００５】
【発明が解決しようとする課題】
光磁界変調方式で記録再生される光磁気記録媒体を代表として、光デイスク、及び磁気デイスク等は、記録するレーザ光、磁界等のパルス強度及びレーザ光、磁界パルス幅が大きいほど記録される記録ピット、或いは記録磁区の幅は広くなる。記録ピット、或いは記録磁区の幅が広すぎると、隣接するトラック間のクロストークノイズとなり、Ｓ／Ｎ比低下の原因となる。また、光記録媒体の高密度記録の要求に応えるためにはトラックピッチを一層狭くしなければならず、記録ピット、或いは記録磁区の幅をより高精度に制御する技術が要求されている。
【０００６】
【課題を解決するための手段】
本発明の第１の態様に従えば、グルーブ部とランド部が交互にある光磁気記録媒体をレーザ光で加熱しながら、データに応じた極性の記録用磁界を印加することによってデータを記録磁区として記録し、記録磁区を磁気光学効果を利用して再生する光磁気記録再生方法において、レーザ光がパルスで、そのパルス幅を種々のパルス幅に変更しながらテスト用データを記録する工程と、上記記録したテスト用データがグルーブ部にある場合は隣りのランド部を、テスト用データがランド部にある場合は隣りのグルーブ部を再生し、テスト用データの再生信号強度を検出し、そのレベルにより上記レーザ光パルス幅の最適値を求める工程と、上記求めたレーザ光パルス幅により光磁気記録を実行する工程とを含む光磁気記録媒体の記録再生方法が提供される。
【０００７】
本発明の第２の態様に従えば、グルーブ部とランド部が交互にある光磁気記録媒体をレーザ光で加熱しながら、データに応じた極性の記録用磁界を印加することによってデータを記録磁区として記録し、記録磁区を磁気光学効果を利用して再生する光磁気記録再生方法において、レーザ光の光強度を種々の強度に変更しながらテスト用データを記録する工程と、上記記録したテスト用データがグルーブ部にある場合は隣りのランド部を、テスト用データがランド部にある場合は隣りのグルーブ部を再生し、テスト用データの再生信号強度を検出し、そのレベルにより上記レーザ光の光強度の最適値を求める工程と、上記求めたレーザ光の光強度により光磁気記録を実行する工程とを含む光磁気記録媒体の記録再生方法が提供される。
【０００８】
本発明の第３の態様に従えば、サンプルサーボによるトラッキングを行うためのウォブルピットがある光磁気記録媒体をレーザ光で加熱しながら、データに応じた極性の記録用磁界を印加することによってデータを記録磁区として記録し、記録磁区を磁気光学効果を利用して再生する光磁気記録再生方法において、レーザ光がパルスで、そのパルス幅を種々のパルス幅に変更しながらテスト用データを記録する工程と、上記記録したテスト用データの存在するトラックと、その隣りのトラックとの中間の部分を再生し、テスト用データの再生信号強度を検出し、そのレベルにより上記レーザ光パルス幅の最適値を求める工程と、上記求めたレーザ光パルス幅により光磁気記録を実行する工程とを含む光磁気記録媒体の記録再生方法が提供される。
【０００９】
本発明の第４の態様に従えば、サンプルサーボによるトラッキングを行うためのウォブルピットがある光磁気記録媒体をレーザ光で加熱しながら、データに応じた極性の記録用磁界を印加することによってデータを記録磁区として記録し、記録磁区を磁気光学効果を利用して再生する光磁気記録再生方法において、レーザ光の光強度を種々の強度に変更しながらテスト用データを記録する工程と、上記記録したテスト用データの存在するトラックと、その隣りのトラックとの中間の部分を再生し、テスト用データの再生信号強度を検出し、そのレベルにより上記レーザ光の光強度の最適値を求める工程と、上記求めたレーザ光の光強度により光磁気記録を実行する工程とを含む光磁気記録媒体の記録再生方法が提供される。
【００１０】
本発明の光磁気記録方法において、光磁気記録を実行する工程より前の工程、すなわち、レーザ光パルス幅を求めるまでの工程、または、レーザ光パルスの光強度を求めるまでの工程を、光磁気記録装置の動作開始時点及び光磁気記録媒体を光磁気記録装置に装着した時点の少なくとも一方の時点で実行することが好ましい。
【００１１】
本発明の実施対象は、上記に示した光磁気記録再生方法に制限されるものではなく、一般に光記録媒体、及び磁気記録媒体の何れの記録再生方法にも適用することがでる。即ち、本発明は、一般に、帯び状区画の記録領域が並設されて使用される記録媒体において、第１の帯び状区画の未記録領域にパルス幅を変数とする複数のテスト用パルス信号素子デ−タの記録幅関数を得る工程と、該記録工程に連続して直接、該記録工程で記録した領域と隣接する第２の帯び状区画未記録領域を再生する工程と、該再生工程で得られたテスト用データの再生信号強度を検出し、パルス幅を基にして最適なパルス幅とデ−タの最適記録配置とを演算する工程と、該最適なパルス幅とデ−タの最適記録配置とを実行する工程とからなる記録媒体の記録再生方法である。
【００１２】
さらに、前記パルス幅信号のパルス強度を変数とする複数のテスト用パルス信号素子デ−タの記録幅関数を得る工程と、該記録工程に連続して直接、該記録工程で記録した領域と隣接する第２の帯び状区画未記録領域を再生する工程と、該再生工程で得られたテスト用データの再生信号強度を検出し、その強度レベルから該テスト用パルス信号の強度の最適値を求める工程と、該強度の最適値パルス信号を用いて記録媒体の情報記録を実行する工程とを含む記録媒体の記録再生方法である。
【００１３】
また、さらに、記録再生装置が記録媒体に情報の記録再生動作を継続して行っている間、環境条件は時々刻々と変化する。まず記録再生装置の電源入力後、電源システムから放出される熱によって記録再生装置内の記録環境温度は時々刻々と上昇変化する。この記録再生装置内の記録環境温度の変化の仕方は、記録再生装置の外部大気の温度環境の状況によって異なる。さらに、隔日毎に記録を繰り返す場合では各記録毎の環境条件は大きく変化する。このような環境下では、記録再生装置は記録に必要な一定温度にレ−ザ光照射温度を制御するために、記録再生装置内の環境温度に応じて、レ−ザ光の出力が調節制御される。従って、光変調方式における情報記録のために選択される最適のレ−ザ光パルス信号幅、及びレ−ザ光パルス信号の強度は、記録再生装置が記録モ−ドを続ける間、その環境条件に合わせて必要な時間間隔で、ユ−ザ記録を行うのに先だって、テスト記録を繰り返し、そのテスト記録の度に新たな最適のレ−ザ光パルス信号幅、及びレ−ザ光パルス信号の強度を決定して実行しなければならない。このようなレ−ザ光出力の調節制御とテスト記録の繰り返しは磁界変調記録方式の光磁気記録媒体の場合も同様である。
【００１４】
即ち、記録再生装置がユ−ザ記録を行うのに先だって、帯び状区画の記録領域が並設されて使用される記録媒体において、記録再生装置に該記録媒体が挿入されて記録モ−ドに設定された時点から、帯び状区画未記録領域にパルス幅を変数とする複数のテスト用パルス信号素子デ−タの記録幅関数を得る記録工程と、該記録工程に連続して直接該記録工程のオフセット・トラッキングによって、該記録領域の隣接領域を再生する再生工程と、該再生工程で得られた再生信号の強度を検出し、パルス幅を基にして最適なパルス幅とデ−タの最適記録配置とを演算する演算工程と、該最適なパルス幅とデ−タの最適記録配置とを実行する実行工程とからなる一連の工程をこの順番で、任意の一定時間毎に反復することを含む、記録媒体の記録再生方法である。
【００１５】
【発明の実施の形態】
本発明を実施する場合に用いる記録再生装置の内、光磁気記録媒体の記録再生装置システムの内容を図６にしめした。図６の装置を用いて、サンプルサーボ方式でトラッキングを行うためのウォブルピットが予め形成されている、光磁気ディスクを記録再生を動作させる際の概要を記載する。この装置は、光磁気ディスク２１にコードデータと同期した一定周期でパルス化された光を照射するためのレーザ光照射部と、光磁気ディスク２１に記録用の外部磁界を印加する磁界印加部と、光磁気ディスク２１からの信号を検出する信号検出部とから主に構成されている。レーザ光照射部において、レーザ２２はレーザ駆動回路３２に接続されており、レーザ駆動回路３２は、ＰＬＬ回路３９から後述するクロック信号を受けてレーザ２２を制御する。磁界印加部において、磁界を印加する磁気コイル２９は磁気コイル駆動回路３４に接続されており、磁気コイル駆動回路３４は符号器３０から位相調整回路３１を通じて入力データを受け、印加磁界の大きさ及び極性の切り換えタイミングを制御する。信号検出部において、レーザ２２と光磁気ディスク２１との間には第１の偏光プリズム２５が配置され、その側方には第２の偏光プリズム２５１及び検出器２８及び２８１が配置されている。検出器２８及び２８１は、それぞれ、Ｉ／Ｖ変換器３１１及び３１２を介して、共に、減算器３０２及び加算器３０１に接続される。加算器３０１はクロック抽出回路３７を介してＰＬＬ回路３９に接続され、減算器３０２は再生信号検出回路３３を介して複号器３８に接続される。
【００１６】
記録された信号を再生する動作系は、まず、上記装置構成において、レーザ２２から出射した信号再生用のレーザビームはコリメータレンズ２３によって平行光にされ、偏光プリズム２５を通った後、対物レンズ２４によってディスク１上に集光される。光磁気ディスク２１からの反射光は偏光プリズム２５によって偏光プリズム２５１の方向に向けられ、１／２波長板２６を透過した後、偏光プリズム２５１で二方向に分割される。分割された光はそれぞれ検出レンズ２７で集光されて光検出器２８及び２８１に導かれる。光磁気ディスク２１上にはトラッキングエラー信号及びクロック信号生成用のピットが予め形成されており、クロック信号生成用ピットからの反射光信号が検出器２８及び２８１で検出された後、クロック抽出回路３７にて抽出される。次いでクロック抽出回路３７に接続されたＰＬＬ回路３９はデータチャネルクロックを発生する。
【００１７】
予め記録するテスト用デ−タの記録動作系は、レ−ザ２２はレーザ駆動回路３２によってデータチャネルクロックに同期するように幅の狭い連続したパルス光を放射し、回転する光磁気ディスク２１のデータ記録エリアを等間隔に局部的に加熱する。また、符号器３０はＰＬＬ回路３９から発生したデータチャネルクロックに基づいて基準クロック周期の整数倍のデータ信号を発生する。このデータ信号は位相調整回路３１を経て磁気コイル駆動装置３４に送られる。磁気コイル駆動装置３４は、磁界コイル２９を制御してデータ信号に対応した極性の磁界をデータ記録領域のレ−ザ・スポット照射部分（被加熱部分）に印加させる。
【００１８】
図７に示す、テスト記録の後、再生時トラッキング中心６にトラッキング中心をずらしてトラッキングしながら、テスト記録の記録再生領域４を再生する。つまり、テスト記録の記録磁区あるいはピット８を、トラッキングオフセットした再生光スポット１１を照射しながら、テスト記録の再生信号を得る。テスト記録の再生信号を考慮して最適な記録条件を見つけ出し、ユーザーデータの記録時には最適な記録条件での記録を行う。
【００１９】
本発明の光磁気記録再生方法では、図６に示した記録再生装置を用いて実際に情報の記録を行う前に、最適レーザ光パルス幅、または、最適レーザ光強度を予め調べるために以下のように行った。
【００２０】
【実施例】
《実施例１》
グルーブ部とランド部が交互にある光磁気記録媒体では、テスト用データをグルーブ部に記録した場合は隣りのランド部を、テスト用データをランド部に記録した場合は隣りのグルーブ部を再生し、テスト用データのもれ込みの再生信号強度を検出し、その強度より最適レーザ光パルス幅、または、最適レーザ光強度を決めた。
【００２１】
《実施例２》
サンプルサーボによるトラッキングを行うためのウォブルピットがある光磁気記録媒体では、テスト用データを記録したトラックと、その隣りのトラックとの中間の部分を再生し、テスト用データのもれ込みの再生信号強度を検出し、その強度より最適レーザ光パルス幅、または、最適レーザ光強度を決めた。
【００２２】
以下、詳細に示す。まず、図６の光磁気記録再生装置において、光磁気ディスク２１を駆動しながら、レーザ２２を含む光学ヘッドを所望のアドレスがあるトラックに位置付けるとともに、磁気コイル２９を含む磁気ヘッドを上記トラックの近傍に位置付ける。次いで、記録外部磁界を印加しながら、図１の（ａ）に示したような種々の記録レーザパルス幅を有するＰ1〜Ｐ5のレーザ光パルスを照射してそれらに対応するテスト信号は、図１の（ｂ）に示したようにを記録される。そのときに記録される光磁気記録磁区は、図１の（ａ）に示すようにパルス幅の増加とともに幅広く、長くなっていく。図１の（ａ）、（ｂ）は記録領域がグルーブ部分の場合を示していて、その隣りのランド部分に光スポットをトラッキングさせると、テスト用データのもれ込みの光磁気再生信号は図１の（ｃ）ようになっている。ランド部分をトラッキングさせるのには、トラッキング誤差信号を作る２つの光検出器からの信号の極性を入れ替えればよい。この光磁気再生信号の強度より、隣りのトラック（グルーブ部分）へのもれ込み量がわかるので、隣りのトラックに影響を与えないレベルをスライスレベルとして、そのレベルを越えない再生信号に対応するレーザパルス幅を最適な記録用レーザ光パルス幅とすることができる。図１ではＰ3が最適となる。
【００２３】
図２は、種々の記録レーザパルス光強度を有するレーザ光パルス（Ｐ6〜Ｐ10）を照射してそれらに対応するテスト信号を記録し、図１と同様に、最適な記録用レーザ光パルスの光強度を決める様子を示している。図２ではＰ8が最適となる。
【００２４】
《実施例３》
図３及び図４は、ランド部とグルーブ部の両方を記録領域として使う光磁気ディスクの場合を示している。図３は、図１と同様に種々の記録レーザパルス幅を有するレーザ光パルス（Ｐ11〜Ｐ15）を照射してそれらに対応するテスト信号を記録した場合であり、図４は、図２と同様に種々の記録レーザパルス光強度を有するレーザ光パルス（Ｐ16〜Ｐ20）を照射してそれらに対応するテスト信号を記録した場合である。図３及び図４は、グルーブ部に記録したテスト信号を、ランド部に光スポットをトラッキングさせて、そのテスト用データのもれ込みの光磁気再生信号を示している。ランド部とグルーブ部の両方を記録領域として使う光磁気ディスクは、クロストークを軽減するためにグルーブの深さが調整してあるので、記録する領域がグルーブ部分のみのディスクに比べてこの光磁気再生信号の信号振幅は小さくなる。ここで図１及び図２と同様に、隣りのトラックに影響を与えないレベルをスライスレベルとして、そのレベルを越えない再生信号に対応するレーザ光パルス幅及び光強度を最適な記録用レーザ光パルス幅及び光強度とすることができる。図３ではＰ14、図４ではＰ19が最適となる。
【００２５】
《実施例４》
図５は、サンプルサーボによるトラッキングを行うためのウォブルピットがある光磁気記録媒体の場合を示している。ここでは、磁界を変調させて、記録レーザ光強度を変化させた場合を示している。記録された光磁気記録磁区は、記録レーザ光強度が高くなるにつれ、幅広くなる。そして、テスト用データを記録したトラックと、その隣りのトラックとの中間の部分を再生した光磁気再生信号は、グルーブ部分がないためテスト用データのもれ込みの信号強度が強くなる。ここでも、隣りのトラックに影響を与えないレベルをスライスレベルとして、そのレベルを越えない再生信号に対応するレーザ光強度を最適な記録用レーザ光強度とすることができる。図５ではＰ24が最適となる。
【００２６】
《実施例５》
グルーブ部とランド部が交互にある相変化方式の記録媒体で本発明を実施する。相変化式記録媒体のランド部にテスト用データを記録すると、光磁気記録媒体の実施例の場合と異なり、記録したランド部隣接のグル−ブ部ではトラッキング誤差信号を検出するためのグル−ブからの回折光強度が、ランド部記録ピットのサイズによって変化してしまう、即ちトラッキングのオフセット量が変化する。この変化の影響をなくすために、記録再生装置には予めトラッキング誤差信号検出系にピ−クホ−ルド装置を取付けたものを使用した。即ちピットがあることによって低下するトラッキングの反射光量を補正して、テスト記録ピット信号を記録したランド部の隣りのグルーブ部を再生し、テスト用データのもれ込みの再生信号強度を検出し、その強度より最適レーザ光パルス幅、または、最適レーザ光強度を決めた。
【００２７】
《実施例６》
グルーブ部とランド部が交互にある追記型記録方式の記録媒体で本発明を実施する。追記型記録方式の記録媒体のランド部にテスト用データを記録すると、光磁気記録媒体の実施例の場合と異なり、記録したランド部隣接のグル−ブからのトラッキング誤差信号の回折光強度が、ランド部記録ピットのサイズによって変化するので、トラッキングのオフセット量が変化する。このために、実施例５の場合と同じように、記録再生装置には予めトラッキング誤差信号検出系にピ−クホ−ルド装置を取付けたものを使用して測定した。その他は実施例５の場合と同じである。
【００２８】
本発明においては、ユーザーデータ記録の前に、テスト記録を行い、既に述べたようにトラッキング中心をずらしてテスト記録信号の再生を行い、テスト記録の再生における再生信号を考慮して、ユーザーデータ記録のための最適記録条件を求めるまでをテスト記録記録再生制御回路２４で制御する。さらに求めた最適記録条件を制御信号として、レーザー制御器に連結したドライバとに伝え、ユーザーデータ記録再生では最適記録条件下の記録再生を行う。
【００２９】
こうして得られたレーザ光パルス幅及び光強度は、光記録媒体の記録のための最適のレーザ光パルス照射条件となる。こうして最適化されたレーザ照射条件で情報を記録することにより、隣りの記録トラックへのもれ込みの少ない記録が行える。
【００３０】
上記テスト信号は、実際に情報を記録する前であれば、任意の時点で記録することができ、例えば、光磁気ディスク駆動装置の動作開始時点や光磁気ディスクを装置に装着した時点で上記のような領域に記録してよく、あるいは一定時間間隔で記録してもよい。
【００３１】
以上、本発明の光磁気記録再生方法を実施の形態により具体的に説明してきたが、本発明はそれらに限定されるものではなく、レーザ光パルス幅と光強度の両方を同時に最適化してもよい。
【００３２】
【発明の効果】
本発明の光磁気記録再生方法は、予めテスト信号を記録再生して、記録時のレーザ光パルス幅及び光強度の一方、あるいは両方の最適条件を求め、この最適化されたレーザ照射条件で実際の情報の記録を実行することにより隣りの記録トラックへのクロストークの少ない記録を行うことができるので、本発明の光磁気記録再生方法を用いることで光磁気記録装置の信頼性を向上させることができる。
【図面の簡単な説明】
【図１】テスト用レーザ光パルス幅と光磁気記録磁区と隣接再生信号の関係を示す概念図である。
【図２】テスト用レーザ光パルス幅と光磁気記録磁区と隣接再生信号の関係を示す概念図である。
【図３】テスト用レーザ光パルス幅と光磁気記録磁区と隣接再生信号の関係を示す概念図である。
【図４】テスト用レーザ光パルス幅と光磁気記録磁区と隣接再生信号の関係を示す概念図である。
【図５】記録外部磁界とテスト用レーザ光出力幅と光磁気記録磁区と隣接トラックでの再生信号の関係を示す概念図である。
【図６】本発明の実施例で用いた光磁界変調方式の記録再生装置の構成図である。
【図７】本発明で用いる光記録媒体上のウォーブル・ピットを含む部分の一例を示す概念図である。
【符号の説明】
１  ウオーブル・ピット領域
２  ミラー部
３  ユーザ記録領域
４  テスト記録領域
７  ウォーブル・ピット
８  テスト記録ピット
９  グルーブ
１０  ランド
２１  記録デイスク
２２  レーザ
２５  偏光プリズム
２８  光検出器
２９  磁気コイル
３１  位相調整回路
３７  埋め込みクロック抽出回路
３８，３８１，３８２  復号器
３９  ＰＬＬ回路
【図１】
0003974672.tif 000002
【図２】
0003974672.tif 000003
【図３】
0003974672.tif 000004
【図４】
0003974672.tif 000005
【図５】
0003974672.tif 000006
【図６】
0003974672.tif 000007
【図７】
0003974672.tif 000008